(57)【要約】【課題】ゴミ取り性能を向上した、使い勝手の良い電気掃除機を提供すること。【解決手段】ノズル部１の前方下面に、回転ブラシ４を有する吸込み口２を設け、前記ノズル部１の後方下面に、ローラー（起毛布もしくはローラー）７を設け、前記吸込み口２より後方でかつ前記ローラー７よりも前方のノズル部１下面から、ローラー７よりも後方のノズル部１下面までの範囲にわたって、着脱自在に布１２を取り付け、ハンドル９をノズル部１前方に傾斜可能にしたことにより、回転ブラシ４で大きなゴミを被掃除面から除去できるだけではなく、細かな塵埃も布１２により被掃除面から除去することができ、またノズル部１の前後方向を逆にし、後方側を隅部にもっていき、ハンドル９を手前に傾斜させて前後させることにより、隅部の細塵も容易に布１２で拭き取れる、性能のよい電気掃除機が提供できる。【選択図】図１
2008036189.tif 000002
【特許請求の範囲】
【請求項１】
ノズル部の前方下面に、回転ブラシを有する吸込み口を設け、前記ノズル部の後方下面に、起毛布もしくはローラーを設け、前記吸込み口より後方でかつ前記起毛布もしくはローラーよりも前方のノズル部下面から、起毛布もしくはローラーよりも後方のノズル部下面までの範囲にわたって、着脱自在に布を取り付け、ハンドルをノズル部前方に傾斜可能にした電気掃除機。
【請求項２】
着脱自在の布は、ノズル部の幅よりも長く設けられ、ハンドルは前記ノズル部中央で回転自在に設けられると共に、全方向に傾斜可能に設けられた請求項１記載の電気掃除機。
【請求項３】
吸込み口前方のノズル部下面に、第二の起毛布もしくは第二のローラーを備え、前記第二の起毛布もしくは第二のローラーと、ノズル部の後方下面に設けた起毛布もしくはローラーとにより床面との距離を確保した請求項１または２記載の電気掃除機。
【発明の詳細な説明】
【技術分野】
【０００１】
本発明は、一般家庭で使用される電気掃除機に関するものである。
【背景技術】
【０００２】
従来の電気掃除機としては、ノズル部に電動送風機、回転ブラシ、集塵部を備えた電気掃除機が知られている。
【０００３】
そして、従来のノズル部には、吸込み口内に電動送風機により回転する回転ブラシが配されている。また、ノズル部の吸込み口前方には起毛布、吸込み口後方にも、起毛布が設けられている。またノズル部後方にはローラーが設けられている。ノズル部後方にはハンドル継ぎ手部があり、ハンドルを連結して握り部つながっている。ノズル部内には電源ＳＷが設けられハンドル継ぎ手部の動きにあわせてＯＮ−ＯＦＦするように設定されている。また、回転ブラシの内部には集塵部につながる穴部が設けられており、回転ブラシでかきあげられた塵埃を捕集するようになっている。前記電動送風機は回転ブラシを回転させるだけでなく、回転することにより集塵部の空気を電動送風機に流すように吸引がかかる構成になっていた（例えば、特許文献１参照）。
【特許文献１】特開２００１−３２１２９９号公報
【発明の開示】
【発明が解決しようとする課題】
【０００４】
しかしながら、従来の電気掃除機では、使用環境も変化しており、ゴミ取り性能に関して、十分お客様の満足に応えることができていなかった。
【０００５】
本発明は、ゴミ取り性能の向上した、効率がよく使い勝手の良い電気掃除機を提供することを目的とする。
【課題を解決するための手段】
【０００６】
前記従来の課題を解決するために本発明の電気掃除機は、ノズル部の前方下面に、回転ブラシを有する吸込み口を設け、前記ノズル部の後方下面に、起毛布もしくはローラーを設け、前記吸込み口より後方でかつ前記起毛布もしくはローラーよりも前方のノズル部下面から、起毛布もしくはローラーよりも後方のノズル部下面までの範囲にわたって、着脱自在に布を取り付け、ハンドルをノズル部前方に傾斜可能にしたことにより、回転ブラシで大きなゴミを被掃除面から除去できるだけではなく、細かな塵埃も布により被掃除面から除去することができ、またノズル部の前後方向を逆にし、ノズル部の後方側を隅部にもっていき、ハンドルをノズル部前方すなわち手前に傾斜させてノズル部を前後させることにより、隅部の細塵も容易に布で拭き取れるようになり、性能のよい電気掃除機が提供できる。
【発明の効果】
【０００７】
本発明の電気掃除機は、ノズル部下面に布を着脱自在に取り付けることにより、回転ブラシで塵埃をとる、布で細かい塵埃を除去し、さらにハンドルをノズル前方まで倒れるようにして布で先に拭くこともできるようしして、特に隅部の掃除をし易くし、より性能の良い、使い勝手の良い電気掃除機が提供できる。
【発明を実施するための最良の形態】
【０００８】
第１の発明は、ノズル部の前方下面に、回転ブラシを有する吸込み口を設け、前記ノズル部の後方下面に、起毛布もしくはローラーを設け、前記吸込み口より後方でかつ前記起毛布もしくはローラーよりも前方のノズル部下面から、起毛布もしくはローラーよりも後方のノズル部下面までの範囲にわたって、着脱自在に布を取り付け、ハンドルをノズル部前方に傾斜可能にしたことにより、回転ブラシで大きなゴミを被掃除面から除去できるだけではなく、細かな塵埃も布により被掃除面から拭き取ることができ、またノズル部の前後方向を逆にし、ノズル部の後方側を隅部にもっていき、ハンドルをノズル部前方すなわち手前に傾斜させてノズル部を前後させることにより、隅部の細塵も容易に布で拭き取れるようになり、性能のよい電気掃除機が提供できる。
【０００９】
前記回転ブラシから操作するだけでなく、布から先に掃除することができ集塵性能がよく、使い勝手のよい電気掃除機を提供することができる。
【００１０】
第２の発明は、第１の発明の着脱自在の布は、ノズル部の幅よりも長く設けられ、ハンドルは前記ノズル部中央で回転自在に設けられると共に、全方向に傾斜可能に設けられたことにより、どの方向からでも隅掃除することができ使い勝手がよい電気掃除機を提供することができる。
【００１１】
第３の発明は、第１または第２の発明の吸込み口前方のノズル部下面に、第二の起毛布もしくは第二のローラーを備え、前記第二の起毛布もしくは第二のローラーと、ノズル部の後方下面に設けた起毛布もしくはローラーとにより床面との距離を確保したことにより、前記布が取り付けられていなくても掃除できるようになり、布掃除をしない場合にも使用できるようにした電気掃除機を提供することができる。
【００１２】
以下、本発明の実施の形態について、図面を参照しながら説明する。なお、この実施の形態について本発明が限定されるものではない。
【００１３】
（実施の形態１）
図１〜図４及び図６は、本発明の実施の形態１における電気掃除機を示すものである。
【００１４】
図１、図２において、ノズル部１には、吸込み口２内に電動送風機３により回転する回転ブラシ４が配されている。また、ノズル部１の吸込み口２前方には第二のローラー５が、ノズル部１後方にはローラー７が設けられている。ノズル部１後方にはハンドル継ぎ手部８があり、ハンドル９を連結して握り部１０につながっている。ノズル部１内には電源ＳＷが設けられハンドル継ぎ手部８の動きにあわせてＯＮ−ＯＦＦするように設定されている。また、回転ブラシ４の内部には集塵部１１につながる穴部が設けられており、回転ブラシ４でかきあげられた塵埃を捕集するようになっている。前記電動送風機３は回転ブラシ４を回転させるだけでなく、回転することにより集塵部１１の空気を電動送風機３に流すように吸引がかかる。また、薬剤等の処理をした布１２は布保持板１３に巻きつけられ、布保持部Ａ１４に布保持部Ｂ１５により保持されて布１２は固定される。布１２及び布保持板１３はノズル部１の幅より長く左右に突出し、かつ、後方に飛び出した状態で、可動部１６に着脱自在に装着される。このときローラー７については当たらないように布保持板１３、および、布１２を切り欠いている。また、可動部１６はノズル下部材６にねじで取り付けられた保持部１７内に、可動部１６のツバ１９と保持部１７の間にバネ１８を介して可動部１６をノズル下部材６から飛び出るように保持されている。なお、床面と回転ブラシ４の距離設定については、第二のローラー５とローラー７をつないだ線上より所定の長さ出るように設定されている。また、布１２は床面にあたるまでは、バネ１８が伸びた状態でノズル下部材６から飛び出ているが、布１２が床面に当たることにより、可動部１６が床面から押され、ツバ１９によりバネ１８を押し縮めて床面に沿うようになる。また、バネ１８により付勢することにより床面に追随することができる。ノズル部１内に充電式電池２７を備えている。本発明では、第二のローラー５が起毛布であっても、ローラー７が起毛布であっても効果は変わらない。また、電動送風機３は回転ブラシ４を回すだけでなく、塵埃を集塵部１１に吸い込む吸引モータとしているが、回転ブラシだけを回すモータでも同様に効果は変わらない。
【００１５】
以上のように構成された本発明についてその動作を説明する。
【００１６】
まず、使用者が握り部１０をつかみ使用状態にハンドル９を倒すと内部に設けられた電源ＳＷがＯＮし電動送風機３が回転し、この回転を回転ブラシ４に伝達し床面上の塵埃をかきだす。電動送風機３が動いているので、吸込み口２から吸い込まれた風は、集塵部１１に流れ、回転ブラシ４にてかき出された塵埃が集塵部１１に送り込まれる。また、回転ブラシ４にてかき上げられなかった細かな塵埃は、布１２で拭くことにより床面はきれいになる。掃除が終わったら、ハンドル９をＯＦＦの位置に戻し、集塵部１１内のごみを捨てる。また、図６に示すように、布１２が無い場合は布保持板１３をノズル部１についた状態でも、つけない状態でも回転ブラシ４だけでの掃除をすることができる。この場合は第二のローラー５とローラー７が床面に当たり布保持板１３がノズル下部材６に取り付いていても、バネ１８が保持部１７とツバ１９の間で伸びきった状態でも床に当たらない設定であるため、また、布保持板１３がなくても、どちらでも、使用することができる。
【００１７】
また、布保持板１３に布１２を布保持部Ａ１４と布保持部Ｂ１５を合わせることで固定させ、また、引っ張りはがすことにより着脱自在にして、簡単に取替えができるようにしている。
【００１８】
また、布保持板１３を可動部１６に取り付けるのも、同様に可動部１６の穴に布保持板１３を挿入することにより固定、保持することができ、また、布保持板１３を強く引っ張ることにより外れるロック機構を有している。
【００１９】
また、図３、図４により布保持板１３、及び布１２はノズル部１の側面及び後面から突出しており、通常の掃除では、回転ブラシ４の後に布１２があるため、回転ブラシ４より前方は布１２にて拭き取ることができないので、ノズル部１を横にして動かすことにより、また、ハンドル９をノズル部１の前方に倒して、布１２を前に出すことにより隅まで拭き取ることができるようにしている。
【００２０】
また、布１２の厚みは一定でなく、また、布保持板１３に取り付けた状態でもゆるめ、きつめに取り付けることにより布保持板１３からの布１２の厚みは一律にはならない。そこで、可動部１６にはツバ１９を設け、このツバ１９と保持部１７の間につけたバネ１８により可動部１６はノズル下部材６から出る方向に付勢している。これにより、可動部１６に布保持板１３を取り付けた状態では、布１２はノズル下部材６から飛び出している。床面に設置することにより布保持板１３が床面から押され可動部１６が移動し、バネ１８が縮み、布１２が床面に対してバネ１８に付勢されて押しつけられることにより、布の厚みがばらついても床面に対して追随するようになる。
【００２１】
また、布１２は薬剤等の処理を行うことにより、特定の汚れ、塵埃を集めとり、集塵性能の向上を図ることができる。
【００２２】
上記動作、構成により、布１２をノズル部１の回転ブラシ４の後方に付け、ノズル部１の後方まで伸ばすことにより、回転ブラシ４で大きなゴミを集塵部１１に送り込み、細かいゴミを布１２で拭き取り、かつ、ハンドル９をノズル部１の前方に倒すことにより布１２を簡単に前に出すことにより隅掃除のし易い、また、布１２がない場合でも掃除ができ、また、布に薬剤等の処理を施すことにより集塵性能を向上させた電気掃除機を提供することができる。
【００２３】
（実施の形態２）
図５は、本発明の実施の形態２における電気掃除機を示すものである。実施の形態１と同一部分については同一符号を付与して、その詳細な説明を省略する。
【００２４】
操作部２０は回動軸２１を中心に上方から押されることにより電源ＳＷ２３を押し、バネ２２により元の状態に戻る。電源ＳＷ２３は押すことによりＯＮ、ＯＦＦを行うＳＷである。回転軸２５はノズル上部材２４に取り付けられ、ノズル上部材２４を回転する。また、ハンドル継ぎ手部８は略球状の回転部２６をもち、回転軸２５の受け部２８内を回転し、２方向に切られたスリットにあわせることにより、図５のようにノズル部１と同じ高さまでハンドル９を倒すことができる。
【００２５】
上記構成において動作を説明すると、使用者が掃除をするのに、操作部２０を押し、電源ＳＷ２３を入れる。掃除をするときには、ノズル部１の回転ブラシ４を前方にして、掃除を行うが、回転ブラシ４側が壁に届くとそれ以降は布１２で拭くことができないので、ハンドル９を回して球状の回転部２６を受け部２８内で回転させ、回動軸２１を回転させてノズル部１を反転させ、前方に回った布１２に壁までの掃除できていなかった範囲を掃除することができる。また、従来は、ノズル部１の幅方向に広くなった布１２で隅掃除を行っていたが、使用者が横に移動して隅部を掃除する必要があったが、実施例のようにすることにより、使用者は移動せずに隅掃除ができる。
【００２６】
上記動作、構成により、使用者がハンドル９を操作することによりノズル部１の向きを変えることができ、隅掃除を簡単に、また、使い勝手のよい電気掃除機を提供する。
【００２７】
（実施の形態３）
図７は、本発明の実施の形態３における電気掃除機を示すものである。実施の形態１、２と同一部分については同一符号を付与して、その詳細な説明を省略する。
【００２８】
構成としては、ノズル部１内に充電式電池２７を設け、これにより電動送風機３を動かし、回転ブラシ４を回し塵埃を集塵部１１にかき込む。
【００２９】
上記構成により、電源を乾電池、もしくは、充電式電池にすることにより、使用範囲に制限無くどこでも使え、またコンセントにプラグを差し込む手間がなくより使いやすい電気掃除機を提供することができる。
【産業上の利用可能性】
【００３０】
以上のように本発明にかかる電機掃除機は、回転ブラシで大きなゴミを集塵部に送り込み、細かいゴミを布で拭き取ることができ、さらに、隅掃除を使用者が動くのではなく、ハンドルを操作することによりノズル部を反転、回転させ、集塵性能が良く、使い勝手も良く、また布が無い場合にも使用できる集塵性能がよい電気掃除機を提供でき、家庭用、業務用にも有用である。
【図面の簡単な説明】
【００３１】
【図１】本発明の実施の形態１における電気掃除機の断面図
【図２】同電気掃除機の要部斜視図
【図３】同電気掃除機の要部断面図
【図４】同電気掃除機の他の例を示す要部断面図
【図５】本発明の実施の形態２における電気掃除機の要部断面図
【図６】（ａ）本発明の実施の形態１における布を使用しない場合の電気掃除機の要部断面図（ｂ）同、布を使用しない場合の他の例を示す電気掃除機の要部断面図
【図７】本発明の実施の形態３における電気掃除機の斜視図
【符号の説明】
【００３２】
１    ノズル部
２    吸込み口
４    回転ブラシ
５    第二の起毛布もしくはローラー
７    起毛布もしくはローラー
９    ハンドル
１２  布
【図１】
2008036189.tif 000003
【図２】
2008036189.tif 000004
【図３】
2008036189.tif 000005
【図４】
2008036189.tif 000006
【図５】
2008036189.tif 000007
【図６】
2008036189.tif 000008
【図７】
2008036189.tif 000009